(57)【要約】【課題】収納した対象物を長期に亘って恒温に保持可能な恒温構造体を提供する。【解決手段】保冷用構造体１０は、上方に開口する底部保冷容器１２と、上方に開口して底部保冷容器１２に段積みされる段積み用保冷容器１４と、段積み用保冷容器１４の上部開口１４ｂを塞ぐ蓋部材１６とを備える。底部保冷容器１２の底壁１２ｃおよび側壁１２ｄに内部画成した第１の空所２２に、遮熱シート２４が収容される。段積み用保冷容器１４の側壁１４ｃに内部画成した第２の空所３４に遮熱シート２４が収容される。蓋部材１６に内部画成した第３の空所４０に遮熱シート２４が収容される。保冷用構造体１０の内部に画成される収納室１２ａ,１４ａは遮熱シート２４で覆われ、外部からの熱が収納室１２ａ,１４ａに侵入するのを遮熱シート２４で防ぐことができ、収納室１２ａ,１４ａに収納した要保冷物の保冷効果を長期に亘って維持できる。【選択図】図１
2020100438.tif 000002
【特許請求の範囲】
【請求項１】
対象物を収納する恒温構造体であって、
上方に開口する箱状に形成され、底壁および側壁によって画成された収納室に対象物を収納可能な底部容器と、
上方に開口する箱状に形成され、底壁および側壁によって画成された収納室に対象物を収納可能な段積み用容器と、
前記段積み用容器の上部開口を塞ぎ得る蓋部材とを備え、
前記底部容器は、前記底壁の内部および側壁の内部に形成した空所に収容した遮熱材によって、前記収納室の底部側および側部側を覆うように構成され、
前記段積み用容器は、前記側壁の内部に形成した空所に収容した遮熱材によって、前記収納室の側部側を覆うように構成されると共に、前記底部容器または該底部容器に積まれた段積み用容器に段積みした状態で下側の容器の上部開口を覆う前記底壁に、上下の収納室を連通する複数の通孔が形成され、
前記蓋部材は、内部に形成した空所に遮熱材が収容され、該蓋部材で最上段の段積み用容器の上部開口を塞いだ状態で、該上部開口が蓋部材の遮熱材で覆われるよう構成された
ことを特徴とする恒温構造体。
【請求項２】
前記蓋部材の下面、前記底部容器の内壁面および前記段積み用容器の内壁面の少なくとも何れかに、蓄熱体を保持可能な保持部が設けられ、該保持部に保持した蓄熱体によって、前記通孔で連通する収納室を恒温に保持し得るよう構成した請求項１記載の恒温構造体。
【請求項３】
前記底部容器、段積み用容器および蓋部材の夫々に、各空所に収容した遮熱材を挟んで収納室側および反対側に断熱空間を画成するよう構成した請求項１または２記載の恒温構造体。
【発明の詳細な説明】
【技術分野】
【０００１】
本発明は、生鮮食品等の要保冷物や弁当等の要保温物を収納する恒温構造体に関する。
【背景技術】
【０００２】
野菜や魚等の生鮮食品等の要保冷物は、市場からスーパーマーケット等の販売店への輸送に際し、特許文献１、２等に開示されている断熱容器に、氷やドライアイス等の冷却材と共に収納された状態で保冷される。また、要保冷物の輸送時には、要保冷物を収納した複数の断熱容器を段積みした形態で取り扱われる。また、スーパーマーケットやコンビニエンスストア等で温められた惣菜や弁当等の要保温物を断熱容器に収納すると共に、該断熱容器に保温材を収納することで、要保温物を保温することも行われている。
【先行技術文献】
【特許文献】
【０００３】
【特許文献１】特開２００８−２８５１８５号公報
【特許文献２】特開２００２−２２５９６５号公報
【発明の概要】
【発明が解決しようとする課題】
【０００４】
しかしながら、特許文献１、２に開示の断熱容器は、当該断熱容器自体が熱を吸収して蓄熱し、該熱を放射する性質があることから、長い期間に亘る保冷保温効果が期待できない問題がある。また、断熱効果を高めるために容器の厚みを大きくすると、容器自体が大型化するか、または要保冷物や要保温物の収納量が減少する難点がある。更に、複数の断熱容器を段積みする場合は、各断熱容器毎に冷却材または保温材を入れなければならず、手間が掛かると共に冷却材または保温材の消費量が多くなって、コストが嵩む問題も指摘される。
【０００５】
本発明は、従来の技術に内在する前記課題に鑑み、これを好適に解決するべく提案されたものであって、収納された対象物を長期に亘って恒温に保持可能な恒温構造体を提供することを目的とする。
【課題を解決するための手段】
【０００６】
前記課題を克服し、所期の目的を達成するため、請求項１の発明に係る恒温構造体は、
対象物を収納する恒温構造体であって、
上方に開口する箱状に形成され、底壁(12c)および側壁(12d)によって画成された収納室(12a)に対象物を収納可能な底部容器(12)と、
上方に開口する箱状に形成され、底壁(30a)および側壁(14c)によって画成された収納室(14a)に対象物を収納可能な段積み用容器(14)と、
前記段積み用容器(14)の上部開口(14b)を塞ぎ得る蓋部材(16)とを備え、
前記底部容器(12)は、前記底壁(12c)の内部および側壁(12d)の内部に形成した空所(22)に収容した遮熱材(24)によって、前記収納室(12a)の底部側および側部側を覆うように構成され、
前記段積み用容器(14)は、前記側壁(12d)の内部に形成した空所(34)に収容した遮熱材(24)によって、前記収納室(14a)の側部側を覆うように構成されると共に、前記底部容器(12)または該底部容器(12)に積まれた段積み用容器(14)に段積みした状態で下側の容器(12,14)の上部開口(12b,14b)を覆う前記底壁(30a)に、上下の収納室(12a,14a)を連通する複数の通孔(30d)が形成され、
前記蓋部材(16)は、内部に形成した空所(40)に遮熱材(24)が収容され、該蓋部材(16)で最上段の段積み用容器(14)の上部開口(14b)を塞いだ状態で、該上部開口(14b)が蓋部材(16)の遮熱材(24)で覆われるよう構成されたことを要旨とする。
【０００７】
請求項１の発明によれば、段積みした複数の容器の壁および最上段の容器の上部開口を塞ぐ蓋部材の内部に収容した夫々の遮熱材によって、外部からの熱が恒温構造体の内部に侵入すること、および内部の熱が外部に逃げるのを防ぐことができるので、収納した要保冷物や要保温物等の対象物を長期に亘って保冷または保温する効果を維持することができる。
【０００８】
請求項２に係る発明は、前記蓋部材(16)の下面、前記底部容器(12)の内壁面および前記段積み用容器(14)の内壁面の少なくとも何れかに、蓄熱体(28)を保持可能な保持部(16e)が設けられ、該保持部(16e)に保持した蓄熱体(28)によって、前記通孔(30d)で連通する収納室(12a,14a)を恒温に保持し得るよう構成したことを要旨とする。
請求項２の発明によれば、蓋部材、底部容器または段積み用容器に設けた保持部に保持した蓄熱体の冷気または暖気は、段積み用容器の底壁の通孔を通って移動可能であるので、恒温構造体の内部全体を少ない蓄熱体によって恒温に保持することができ、コストを低減し得る。
【０００９】
請求項３に係る発明は、前記底部容器(12)、段積み用容器(14)および蓋部材(16)の夫々に、各空所(22,34,40)に収容した遮熱材(24)を挟んで収納室側および反対側に断熱空間(26,36,42)を画成するよう構成したことを要旨とする。
請求項３の発明によれば、容器および蓋部材の内部に収容した遮熱材を挟む両側に画成した断熱空間による断熱効果によって、恒温構造体の内部の保冷または保温効果を高めることができる。
【発明の効果】
【００１０】
本発明によれば、収納した対象物を長期に亘って恒温に保持することが可能となる。
【図面の簡単な説明】
【００１１】
【図１】実施例に係る保冷用構造体を示す概略斜視図である。
【図２】実施例に係る保冷用構造体を示す縦断側面図である。
【図３】実施例の底部保冷容器の横断平面図である。
【図４】実施例の段積み用保冷容器の横断平面図である。
【発明を実施するための形態】
【００１２】
次に、本発明に係る恒温構造体の好適な実施例を挙げて、添付図面を参照しながら以下説明する。実施例では、恒温構造体として、対象物である生鮮食品等の要保冷物を収納して、該要保冷物を保冷する保冷用構成体を例に挙げて説明する。
【実施例】
【００１３】
実施例の保冷用構造体１０は、図１、図２に示すように、要保冷物を収納する収納室１２ａ,１４ａを内部画成して上方に開口し、段積み可能な複数の箱状の保冷容器(容器)１２,１４と、最上段の保冷容器１４の上部開口１４ｂを塞ぐ蓋部材１６とを備える。保冷用構造体１０を構成する最下段の保冷容器１２について、底部保冷容器(底部容器)１２と指称すると共に、該底部保冷容器１２の上側に段積みされる保冷容器１４について、段積み用保冷容器(段積み用容器)１４と指称する。実施例では、底部保冷容器１２の上に、１つの段積み用保冷容器１４を段積みした構成で説明するが、該段積み用保冷容器１４の数は任意の数にすることができる。
【００１４】
前記底部保冷容器１２は、図２および図３に示す如く、矩形状の底壁１２ｃと、該底壁１２ｃの周縁部から上方に延在する側壁１２ｄとから構成されて上方に開口する箱状に形成されて、該底壁１２ｃと側壁１２ｄとによって要保冷物を収納する第１の収納室１２ａが画成される。具体的に、底部保冷容器１２は、矩形状の底板１８ａと、該底板１８ａの周縁部から上方に延在する側板１８ｂとで構成されて上方に開口する第１の外装箱１８の内部に、矩形状の底板２０ａと、該底板２０ａの周縁部から上方に延在する側板２０ｂとで構成されて上方に開口する第１の内装箱２０を、対向する底板１８ａ,２０ａおよび側板１８ｂ,２０ｂが離間するように収容することで、底部保冷容器１２における底壁１２ｃの内部および側壁１２ｄの内部の夫々に第１の空所２２が画成される中空構造の箱体として構成されている。なお、第１の内装箱２０における側板２０ｂの上端縁には、外側に延出するフランジ２０ｃが形成されて、該フランジ２０ｃが第１の外装箱１８における側板１８ｂの上端縁に当接して、両箱１８,２０の間に画成される第１の空所２２は密閉されている。そして、底部保冷容器１２の底壁１２ｃおよび側壁１２ｄの第１の空所２２の夫々に遮熱シート(遮熱材)２４が収容されて、第１の内装箱２０の全体が遮熱シート２４で覆われるよう構成される。すなわち、底部保冷容器１２は、第１の内装箱２０(底壁１２ｃおよび側壁１２ｄ)によって画成される第１の収納室１２ａの底部側および側部側が、遮熱シート２４によって覆われている。
【００１５】
図２、図３に示す如く、前記底部保冷容器１２における第１の外装箱１８の底板１８ａおよび側板１８ｂに、第１の空所２２に突出する複数の凸部１８ｃが設けられると共に、第１の内装箱２０の底板２０ａおよび側板２０ｂに、第１の空所２２に突出する複数の凸部２０ｄが設けられている。そして、前記遮熱シート２４は、対向する底板１８ａ,２０ａおよび側板１８ｂ,２０ｂに突設された凸部１８ｃ,２０ｄによって支持されて、該遮熱シート２４を挟む収納室側および反対側(内外の両側)に第１の断熱空間２６が夫々画成されるよう構成される。
【００１６】
前記遮熱シート２４は、空気層を形成したポリエチレンシートの表裏面にアルミニウム薄膜が形成されたシート状物であって、熱線をアルミニウム薄膜で反射する遮熱効果と共に、空気層により熱伝導を抑制する断熱効果を備えたものが好適に用いられる。
【００１７】
前記底部保冷容器１２を構成する第１の内装箱２０の側板２０ｂにおける第１の収納室１２ａに臨む内面に、保冷体(蓄熱体)２８を保持可能な保持部１２ｅが複数箇所に設けられており、該保持部１２ｅに保持した保冷体２８によって、第１の収納室１２ａに収納した要保冷物を保冷し得るよう構成される。保冷体２８としては、保冷剤を袋あるいはプラスチック容器に充填したものを用いることができる。
【００１８】
前記段積み用保冷容器１４は、図２および図４に示す如く、矩形状の底壁３０ａと、該底壁３０ａの周縁部から上方に延在する側壁１４ｃとから構成されて上方に開口する箱状に形成されて、該底壁３０ａと側壁１４ｃとによって要保冷物を収納する第２の収納室１４ａが画成される。具体的に、段積み用保冷容器１４は、矩形状の底板３０ａと、該底板３０ａの周縁部から上方に延在する側板３０ｂとで構成されて上方に開口する第２の外装箱３０の内部に、角筒状に形成した側板３２ａからなる上下方向に開口する内装体３２を、対向する側板３０ｂ,３２ａが離間するように収容することで、段積み用保冷容器１４における側壁１４ｃの内部の第２の空所３４が画成される中空構造の箱体として構成されている。実施例では、段積み用保冷容器１４の底壁は、第２の外装箱３０の底板３０ａで構成される。なお、内装体３２における側板３２ａの上端縁には、外側に延出するフランジ３２ｂが形成されて、該フランジ３２ｂが第２の外装箱３０における側板３０ｂの上端縁に当接して、内装体３２と第２の外装箱３０との間に画成される第２の空所３４は密閉されている。そして、内装体３２と第２の外装箱３０との間の第２の空所３４に、前記遮熱シート(遮熱材)２４が収容されて、内装体３２における側面の全体が遮熱シート２４で覆われるよう構成される。すなわち、段積み用保冷容器１４は、内装体３２と第２の外装箱３０(段積み用保冷容器１４の底壁３０ａおよび側壁１４ｃ)とによって画成される第２の収納室１４ａの側部側が、遮熱シート２４によって覆われている。
【００１９】
図２および図４に示す如く、前記段積み用保冷容器１４における第２の外装箱３０の側板３０ｂに、第２の空所３４に突出する複数の凸部３０ｃが設けられると共に、内装体３２の側板３２ａに、第２の空所３４に突出する複数の凸部３２ｃが設けられている。そして、前記遮熱シート２４は、対向する側板３０ｂ,３２ａに突設された凸部３０ｃ,３２ｃによって支持されて、該遮熱シート２４を挟む収納室側および反対側(内外の両側)に第２の断熱空間３６が夫々画成されるよう構成される。
【００２０】
前記段積み用保冷容器１４を構成する第２の外装箱３０の底板(段積み用保冷容器１４の底壁)３０ａに、上下方向に貫通する複数の通孔３０ｄが形成されており、該段積み用保冷容器１４を前記底部保冷容器１２に段積みした状態で、上下の収納室１２ａ,１４ａが通孔３０ｄを介して連通するよう構成される。なお、段積み用保冷容器１４の底面(第２の外装箱３０の底板外面)に、下方に突出する脚部３８が突設されており、該脚部３８を底部保冷容器１２の上部開口１２ｂの内側に嵌め込むよう段積み用保冷容器１４を段積みすることで、該段積み用保冷容器１４が位置決めされると共に、段積み用保冷容器１４の底面が底部保冷容器１２の上面に重なって、底部保冷容器１２の上部開口１２ｂは段積み用保冷容器１４の底面(底板３０ａ)で塞がれるよう構成される。
【００２１】
前記蓋部材１６は、図２に示す如く、中空に形成された厚板状の部材であって、該蓋部材１６に内部画成した第３の空所４０に、前記遮熱シート２４が収容されている。この遮熱シート２４は、蓋部材１６の第３の空所４０を画成する上壁１６ａと下壁１６ｂとの対向面に突設した複数の凸部１６ｃによって支持されて、該遮熱シート２４を挟む上下(段積み用保冷容器１４の上部開口１４ｂを塞いだ状態での収納室側および反対側)に第３の断熱空間４２が夫々画成されるよう構成される。また、蓋部材１６における下壁１６ｂの下面外縁に、下方に突出する周壁１６ｄが突設されており、前記段積み用保冷容器１４の上に、周壁１６ｄの内側に段積み用保冷容器１４の上端部が嵌り込むように蓋部材１６を被せることで、該段積み用保冷容器１４の上部開口１４ｂが蓋部材１６で塞がれて、第２の収納室１４ａが密閉されるよう構成される。また、段積み用保冷容器１４の上部開口１４ｂを蓋部材１６で塞いだ状態で、該蓋部材１６の遮熱シート２４が上部開口１４ｂを覆うようになっている。
【００２２】
前記蓋部材１６における下壁１６ｂには、段積み用保冷容器１４に被せた状態で第２の収納室１４ａに臨む位置に、保冷体２８を保持可能な保持部１６ｅが複数箇所に設けられている。
【００２３】
実施例の保冷用構造体１０は、図２に示す如く、前記底部保冷容器１２の上に段積み用保冷容器１４を段積みすると共に、該段積み用保冷容器１４の上部開口１４ｂを蓋部材１６で塞ぐことで、両保冷容器１２,１４の収納室１２ａ,１４ａは密閉状態となる。そして、底部保冷容器１２の底壁１２ｃと側壁１２ｄ、段積み用保冷容器１４の側壁１４ｃおよび蓋部材１６の各空所２２,３４,４０に収容した遮熱シート２４によって、収納室１２ａ,１４ａの全体が覆われる。すなわち、遮熱シート２４によって外部からの熱が保冷用構造体１０の内部(収納室１２ａ,１４ａ)に侵入するのを防ぐことができ、収納室１２ａ,１４ａに収納した要保冷物を長期に亘って保冷する効果を維持することができる。また、段積みした底部保冷容器１２の第１の収納室１２ａと、段積み用保冷容器１４の第２の収納室１４ａとは、該段積み用保冷容器１４の底壁(底板３０ａ)に形成した通孔３０ｄを介して連通しているので、前記蓋部材１６の保持部１６ｅに保持されて第２の収納室１４ａに臨む保冷体２８の冷気は、該第２の収納室１４ａから通孔３０ｄを通って第１の収納室１２ａに移動して両収納室１２ａ,１４ａは保冷される。すなわち、保冷用構造体１０の内部全体を、少ない保冷体２８によって保冷することができ、コストを低減し得る。
【００２４】
また、前記底部保冷容器１２、段積み用保冷容器１４および蓋部材１６の各空所２２,３４,４０に収容した遮熱シート２４を挟む内外両側に、断熱空間２６,３６,４２を画成してあるので、該断熱空間２６,３６,４２による断熱効果によって、保冷用構造体１０の内部の保冷効果を高めることができ、収納室１２ａ,１４ａに収納した要保冷物をより長期に亘って保冷することができる。また、遮熱シート２４は、厚みを大きくすることなく充分な遮熱効果が得られるので、保冷容器１２,１４や蓋部材１６の壁の厚みを大きくする必要はなく、保冷用構造体１０の大型化を抑えたもとで、要保冷物の収納量を多くすることができる。
【００２５】
(変更例)
本発明は実施例などの構成に限定されるものではなく、例えば、以下のようにも変更実施可能である。また、以下の変更例に限らず、実施例などに記載した構成については、本発明の主旨の範囲内において種々の実施形態を採用し得る。
(1) 実施例では、段積み用保冷容器には保冷体の保持部を設けないよう構成したが、段積み用保冷容器の内壁面(内装体の側板内面)に保持部を設けるようにしてもよい。また、蓋部材の保持部を省略して、段積み用保冷容器にのみ保持部を設ける構成を採用し得る。
(2) 実施例では、底部保冷容器に保冷体の保持部を設けたが、該底部保冷容器の保持部は省略することができる。すなわち、冷気は上から下に移動するので、底部保冷容器より上側の段積み用保冷容器の内壁面(内装体の側板内面)および蓋部材の下面(下壁下面)の少なくとも何れかに、保冷体を保持する保持部が設けられていれば、該保持部に保持した保冷体によって保冷用構造体の内部(通孔で連通する収納室)を効率的に保冷することができる。
(3) 底部保冷容器の上に、複数の段積み用保冷容器を段積みする構成においては、上側の段積み用保容器の脚部を、下側の段積み用保冷容器の上部開口に嵌め込むように段積みすることで、下側の段積み用保冷容器の上部開口が上側の段積み用保冷容器の底壁で塞がれると共に、該底壁に形成した通孔によって上下の収納室は連通する。
【００２６】
(4) 実施例では、恒温構造体として、収納した要保冷物(対象物)を保冷する保冷用構造体を挙げて説明したが、対象物である温めた弁当等の要保温物を収納して、該要保温物を保温する保温用構造体として用いることができる。すなわち、構造体の遮熱構造によって内部の熱が外部に逃げるのを防ぐことができるので、前記保持部に保持する蓄熱体として、保温体を用いるようにすれば、収納室を長期に亘って保温することができる。なお、蓄熱体としては、潜熱蓄熱剤や顕熱蓄熱剤または化学蓄熱剤の何れかを袋あるいはプラスチック容器に充填したものを採用することができる。すなわち、蓄熱体を構成する蓄熱剤としては、収納室を保冷または保温することができる周知の各種材料を用いることができる。
また、恒温構造体を保温用に用いる場合は、蓋部材の保持部は省略することができる。すなわち、暖気は下から上に移動するので、底部容器の内壁面にのみ保温体を保持する保持部を設けたり、底部容器および該底部容器の上側の段積み用容器の内壁面に保温体を保持する保持部が設けられていれば、該保持部に保持した保温体によって温められた暖気が段積み用容器の底壁の通孔を通って各収納室(恒温構造体)の内部全体を効率的に保温することができる。また、恒温構造体を保温用に用いる場合は、構造体の遮熱構造によって内部を恒温に保持することが可能であるので、保温体(蓄熱体)の収容部を省略する構成を採用することが可能である。
【符号の説明】
【００２７】
１２ 底部保冷容器(底部容器)、１２ａ 第１の収納室、１２ｂ 上部開口
１２ｃ 底壁、１２ｄ 側壁、１４ 段積み用保冷容器(段積み用容器)
１４ａ 第２の収納室、１４ｂ 上部開口、１４ｃ 側壁、１６ 蓋部材
１６ｅ 保持部、２２ 第１の空所、２４ 遮熱シート(遮熱材)、２６ 第１の断熱空間
２８ 保冷体(蓄熱体)、３０ａ 底板(段積み用容器の底壁)、３０ｄ 通孔
３４ 第２の空所、３６ 第２の断熱空間、４０ 第３の空所、４２ 第３の断熱空間
【図１】
2020100438.tif 000003
【図２】
2020100438.tif 000004
【図３】
2020100438.tif 000005
【図４】
2020100438.tif 000006